(57)【要約】【課題】ランニングＯＰＣによるパワー修正の影響でレーザ光源の最大出力を超えてしまう不具合の発生を防止し、レーザ光源を劣化させることなく、最速な記録速度、且つ最適な記録パワーで情報の記録を行って高記録品質を実現する。【解決手段】ＣＰＵは、Ｓ２でランニングＯＰＣで光ディスクに情報を記録中に所定の記録状態目標値と光ディスクからの再生信号に応じた値とを比較し、その比較結果に応じて随時記録パワーを修正し、Ｓ３でその修正された記録パワーがリミット値を超えると判断すると、Ｓ４で記録を一旦停止し、Ｓ５でその一旦停止時の記録線速度から１段下げて再設定し、Ｓ６でその記録線速度における記録パワーをＯＰＣによって決定した後、Ｓ７でその記録パワーで一旦停止個所での連続情報が途切れることなく記録を再開する。【選択図】　　　図４
2004054980.tif 000002
【特許請求の範囲】
【請求項１】
ディスク状記録媒体の円周方向にほぼ一定な線密度で情報を書き込む情報記録装置であって、
前記ディスク状記録媒体の所定の領域に所定の基本線速度で試し書きを行って前記基本線速度における最適記録パワーを決定する試し書き手段と、
前記ディスク状記録媒体に情報を記録中に所定の記録状態目標値と前記ディスク状記録媒体からの再生信号に応じた値とを比較し、その比較した結果に応じて随時記録パワーを修正する記録パワー修正手段と、
該記録パワー修正手段によって記録パワーが所定の最大出力値を超える場合に記録を一旦停止する記録停止手段と、
該記録停止手段による一旦停止時の記録線速度から所定の記録線速度まで下げて再設定する記録線速度再設定手段と、
該記録線速度再設定手段によって再設定された記録線速度における記録パワーを前記試し書き手段によって決定した後、前記一旦停止個所での連続情報が途切れることなく記録を再開する記録再開手段とを備えたことを特徴とする情報記録装置。
【請求項２】
ディスク状記録媒体の円周方向にほぼ一定な線密度で情報を書き込む情報記録装置であって、
前記ディスク状記録媒体の所定の領域に所定の基本線速度で試し書きを行って前記基本線速度における最適記録パワーを決定する試し書き手段と、
前記ディスク状記録媒体に情報を記録中に所定の記録状態目標値と前記ディスク状記録媒体からの再生信号に応じた値とを比較し、その比較した結果に応じて随時記録パワーを修正する記録パワー修正手段と、
該記録パワー修正手段によって記録パワーが所定の最大出力値を超える場合に記録を一旦停止して所定時間間隔おいた後に一旦停止時の記録線速度で記録を再開する処理を所定回数繰り返す記録停止手段と、
該記録停止手段によって前記処理を所定回数繰り返しても更に記録パワーが所定の最大出力値を超える場合には前記記録停止手段による一旦停止時の記録線速度から所定の記録線速度まで下げて再設定する記録線速度再設定手段と、
該記録線速度再設定手段によって再設定された記録線速度における記録パワーを前記試し書き手段によって決定した後、前記一旦停止個所での連続情報が途切れることなく記録を再開する記録再開手段とを備えたことを特徴とする情報記録装置。
【請求項３】
ディスク状記録媒体の円周方向にほぼ一定な線密度で情報を書き込む情報記録装置であって、
前記ディスク状記録媒体の所定の領域に所定の基本線速度で試し書きを行って前記基本線速度における最適記録パワーを決定する試し書き手段と、
前記ディスク状記録媒体に情報を記録中に所定の記録状態目標値と前記ディスク状記録媒体からの再生信号に応じた値とを比較し、その比較した結果に応じて随時記録パワーを修正する記録パワー修正手段と、
該記録パワー修正手段による記録パワーの修正量が所定量を超える場合に記録を一旦停止し、前記試し書き手段によって試し書きを再実行して得た記録パワーを設定して記録を再開する記録再開手段とを備えたことを特徴とする情報記録装置。
【請求項４】
請求項１乃至３のいずれか一項に記載の情報記録装置において、前記ディスク状記録媒体の外周部に設けられた所定の領域に対して前記記録を再開するときの線速度で試し書きを行う手段を設けたことを特徴とする情報記録装置。
【請求項５】
請求項１乃至４のいずれか一項に記載の情報記録装置において、記録開始前に前記試し書き手段によって試し書きした結果から推定して設定する記録開始時の記録パワーに対して適用される最大記録パワーの許容値よりも、前記記録パワー修正手段によって記録中に修正される記録パワーの許容値を所定値だけ大きくもつようにしたことを特徴とする情報記録装置。
【請求項６】
ディスク状記録媒体の半径方向に設けられた複数の記録ゾーン毎に異なる所定の線速度で前記ディスク状記録媒体の円周方向にほぼ一定な線密度で情報を書き込む情報記録装置であって、
前記ディスク状記録媒体の所定の領域に所定の基本線速度で試し書きを行って前記基本線速度における最適記録パワーを決定する試し書き手段と、
前記ディスク状記録媒体に情報を記録中に所定の記録状態目標値と前記ディスク状記録媒体からの再生信号に応じた値とを比較し、その比較した結果に応じて随時記録パワーを修正する記録パワー修正手段と、
前記記録ゾーンの切り替え点において新規の記録ゾーンの記録パワーとして直前の記録ゾーンまでの記録中に前記記録パワー修正手段によって修正された切り替え直前の記録パワーに対して所定の記録パワー決定処理を施した結果から記録パワーを推定し、その記録パワーが所定の最大記録パワーを超えると判断した場合、直前の記録速度を維持したまま停止することなく記録し続ける手段とを備えたことを特徴とする情報記録装置。
【請求項７】
ディスク状記録媒体の半径方向に設けられた複数の記録ゾーン毎に異なる所定の線速度で前記ディスク状記録媒体の円周方向にほぼ一定な線密度で情報を書き込む情報記録装置であって、
前記ディスク状記録媒体の所定の領域に所定の基本線速度で試し書きを行って前記基本線速度における最適記録パワーを決定する試し書き手段と、
前記ディスク状記録媒体に情報を記録中に所定の記録状態目標値と前記ディスク状記録媒体からの再生信号に応じた値とを比較し、その比較した結果に応じて随時記録パワーを修正する記録パワー修正手段と、
前記記録ゾーンの切り替え点において記録を停止し、新規の記録ゾーンの記録パワーとして直前の記録ゾーンまでの記録中に前記記録パワー修正手段によって修正された切り替え直前の記録パワーに対して所定の記録パワー決定処理を施した結果から記録パワーを推定し、その記録パワーが所定の最大記録パワーを超えると判断した場合、前記試し書き手段によって試し書きを再実行して得た記録パワーを設定して記録を再開する記録再開手段とを備えたことを特徴とする情報記録装置。
【請求項８】
ディスク状記録媒体の円周方向にほぼ一定な線密度で情報を書き込む情報記録方法であって、前記ディスク状記録媒体の所定の領域に所定の基本線速度で試し書きを行って前記基本線速度における最適記録パワーを決定し、前記ディスク状記録媒体に情報を記録中に所定の記録状態目標値と前記ディスク状記録媒体からの再生信号に応じた値とを比較し、その比較した結果に応じて随時記録パワーを修正し、その修正された記録パワーが所定の最大出力値を超える場合に記録を一旦停止し、その一旦停止時の記録線速度から所定の記録線速度まで下げて再設定し、その再設定された記録線速度における記録パワーを前記試し書きによって決定した後、前記一旦停止個所での連続情報が途切れることなく記録を再開することを特徴とする情報記録方法。
【請求項９】
ディスク状記録媒体の円周方向にほぼ一定な線密度で情報を書き込む情報記録方法であって、前記ディスク状記録媒体の所定の領域に所定の基本線速度で試し書きを行って前記基本線速度における最適記録パワーを決定し、前記ディスク状記録媒体に情報を記録中に所定の記録状態目標値と前記ディスク状記録媒体からの再生信号に応じた値とを比較し、その比較した結果に応じて随時記録パワーを修正し、その修正された記録パワーが所定の最大出力値を超える場合に記録を一旦停止して所定時間間隔おいた後に一旦停止時の記録線速度で記録を再開する処理を所定回数繰り返し、前記処理を所定回数繰り返しても更に記録パワーが所定の最大出力値を超える場合には前記一旦停止時の記録線速度から所定の記録線速度まで下げて再設定し、その再設定された記録線速度における記録パワーを前記試し書きによって決定した後、前記一旦停止個所での連続情報が途切れることなく記録を再開することを特徴とする情報記録方法。
【請求項１０】
ディスク状記録媒体の円周方向にほぼ一定な線密度で情報を書き込む情報記録方法であって、前記ディスク状記録媒体の所定の領域に所定の基本線速度で試し書きを行って前記基本線速度における最適記録パワーを決定し、前記ディスク状記録媒体に情報を記録中に所定の記録状態目標値と前記ディスク状記録媒体からの再生信号に応じた値とを比較し、その比較した結果に応じて随時記録パワーを修正し、その修正された記録パワーの修正量が所定量を超える場合に記録を一旦停止し、前記試し書きによって試し書きを再実行して得た記録パワーを設定して記録を再開することを特徴とする情報記録方法。
【請求項１１】
請求項８乃至１０のいずれか一項に記載の情報記録方法において、前記ディスク状記録媒体の外周部に設けられた所定の領域に対して前記記録を再開するときの線速度で試し書きを行うことを特徴とする情報記録方法。
【請求項１２】
請求項８乃至１１のいずれか一項に記載の情報記録方法において、記録開始前に前記試し書きによって試し書きした結果から推定して設定する記録開始時の記録パワーに対して適用される最大記録パワーの許容値よりも、記録中に修正される記録パワーの許容値を所定値だけ大きくもつようにすることを特徴とする情報記録方法。
【請求項１３】
ディスク状記録媒体の半径方向に設けられた複数の記録ゾーン毎に異なる所定の線速度で前記ディスク状記録媒体の円周方向にほぼ一定な線密度で情報を書き込む情報記録方法であって、前記ディスク状記録媒体の所定の領域に所定の基本線速度で試し書きを行って前記基本線速度における最適記録パワーを決定し、前記ディスク状記録媒体に情報を記録中に所定の記録状態目標値と前記ディスク状記録媒体からの再生信号に応じた値とを比較し、その比較した結果に応じて随時記録パワーを修正し、前記記録ゾーンの切り替え点において新規の記録ゾーンの記録パワーとして直前の記録ゾーンまでの記録中に前記修正された切り替え直前の記録パワーに対して所定の記録パワー決定処理を施した結果から記録パワーを推定し、その記録パワーが所定の最大記録パワーを超えると判断した場合、直前の記録速度を維持したまま停止することなく記録し続けることを特徴とする情報記録方法。
【請求項１４】
ディスク状記録媒体の半径方向に設けられた複数の記録ゾーン毎に異なる所定の線速度で前記ディスク状記録媒体の円周方向にほぼ一定な線密度で情報を書き込む情報記録方法であって、前記ディスク状記録媒体の所定の領域に所定の基本線速度で試し書きを行って前記基本線速度における最適記録パワーを決定し、前記ディスク状記録媒体に情報を記録中に所定の記録状態目標値と前記ディスク状記録媒体からの再生信号に応じた値とを比較し、その比較した結果に応じて随時記録パワーを修正し、前記記録ゾーンの切り替え点において記録を停止し、新規の記録ゾーンの記録パワーとして直前の記録ゾーンまでの記録中に前記修正された切り替え直前の記録パワーに対して所定の記録パワー決定処理を施した結果から記録パワーを推定し、その記録パワーが所定の最大記録パワーを超えると判断した場合、前記試し書きによって試し書きを再実行して得た記録パワーを設定して記録を再開することを特徴とする情報記録方法。
【請求項１５】
コンピュータに、ディスク状記録媒体の円周方向にほぼ一定な線密度で情報を書き込む手順と、前記ディスク状記録媒体の所定の領域に所定の基本線速度で試し書きを行って前記基本線速度における最適記録パワーを決定する試し書き手順と、前記ディスク状記録媒体に情報を記録中に所定の記録状態目標値と前記ディスク状記録媒体からの再生信号に応じた値とを比較し、その比較した結果に応じて随時記録パワーを修正する記録パワー修正手順と、該記録パワー修正手順によって記録パワーが所定の最大出力値を超える場合に記録を一旦停止する記録停止手順と、該記録停止手順による一旦停止時の記録線速度から所定の記録線速度まで下げて再設定する記録線速度再設定手順と、該記録線速度再設定手順によって再設定された記録線速度における記録パワーを前記試し書き手順によって決定した後、前記一旦停止個所での連続情報が途切れることなく記録を再開する記録再開手順とを実行させるためのプログラム。
【請求項１６】
コンピュータに、ディスク状記録媒体の円周方向にほぼ一定な線密度で情報を書き込む手順と、前記ディスク状記録媒体の所定の領域に所定の基本線速度で試し書きを行って前記基本線速度における最適記録パワーを決定する試し書き手順と、前記ディスク状記録媒体に情報を記録中に所定の記録状態目標値と前記ディスク状記録媒体からの再生信号に応じた値とを比較し、その比較した結果に応じて随時記録パワーを修正する記録パワー修正手順と、該記録パワー修正手順によって記録パワーが所定の最大出力値を超える場合に記録を一旦停止して所定時間間隔おいた後に一旦停止時の記録線速度で記録を再開する処理を所定回数繰り返す記録停止手順と、該記録停止手順によって前記処理を所定回数繰り返しても更に記録パワーが所定の最大出力値を超える場合には前記記録停止手順による一旦停止時の記録線速度から所定の記録線速度まで下げて再設定する記録線速度再設定手順と、該記録線速度再設定手順によって再設定された記録線速度における記録パワーを前記試し書き手順によって決定した後、前記一旦停止個所での連続情報が途切れることなく記録を再開する記録再開手順とを実行させるためのプログラム。
【請求項１７】
コンピュータに、ディスク状記録媒体の円周方向にほぼ一定な線密度で情報を書き込む手順と、前記ディスク状記録媒体の所定の領域に所定の基本線速度で試し書きを行って前記基本線速度における最適記録パワーを決定する試し書き手順と、前記ディスク状記録媒体に情報を記録中に所定の記録状態目標値と前記ディスク状記録媒体からの再生信号に応じた値とを比較し、その比較した結果に応じて随時記録パワーを修正する記録パワー修正手順と、該記録パワー修正手順による記録パワーの修正量が所定量を超える場合に記録を一旦停止し、前記試し書き手順によって試し書きを再実行して得た記録パワーを設定して記録を再開する記録再開手順とを実行させるためのプログラム。
【請求項１８】
コンピュータに、ディスク状記録媒体の半径方向に設けられた複数の記録ゾーン毎に異なる所定の線速度で前記ディスク状記録媒体の円周方向にほぼ一定な線密度で情報を書き込む手順と、前記ディスク状記録媒体の所定の領域に所定の基本線速度で試し書きを行って前記基本線速度における最適記録パワーを決定する試し書き手順と、前記ディスク状記録媒体に情報を記録中に所定の記録状態目標値と前記ディスク状記録媒体からの再生信号に応じた値とを比較し、その比較した結果に応じて随時記録パワーを修正する記録パワー修正手順と、前記記録ゾーンの切り替え点において新規の記録ゾーンの記録パワーとして直前の記録ゾーンまでの記録中に前記記録パワー修正手順によって修正された切り替え直前の記録パワーに対して所定の記録パワー決定処理を施した結果から記録パワーを推定し、その記録パワーが所定の最大記録パワーを超えると判断した場合、直前の記録速度を維持したまま停止することなく記録し続ける手順とを実行させるためのプログラム。
【請求項１９】
コンピュータに、ディスク状記録媒体の半径方向に設けられた複数の記録ゾーン毎に異なる所定の線速度で前記ディスク状記録媒体の円周方向にほぼ一定な線密度で情報を書き込む手順と、前記ディスク状記録媒体の所定の領域に所定の基本線速度で試し書きを行って前記基本線速度における最適記録パワーを決定する試し書き手順と、前記ディスク状記録媒体に情報を記録中に所定の記録状態目標値と前記ディスク状記録媒体からの再生信号に応じた値とを比較し、その比較した結果に応じて随時記録パワーを修正する記録パワー修正手順と、前記記録ゾーンの切り替え点において記録を停止し、新規の記録ゾーンの記録パワーとして直前の記録ゾーンまでの記録中に前記記録パワー修正手順によって修正された切り替え直前の記録パワーに対して所定の記録パワー決定処理を施した結果から記録パワーを推定し、その記録パワーが所定の最大記録パワーを超えると判断した場合、前記試し書き手順によって試し書きを再実行して得た記録パワーを設定して記録を再開する記録再開手順とを実行させるためのプログラム。
【請求項２０】
コンピュータに、ディスク状記録媒体の円周方向にほぼ一定な線密度で情報を書き込む手順と、前記ディスク状記録媒体の所定の領域に所定の基本線速度で試し書きを行って前記基本線速度における最適記録パワーを決定する試し書き手順と、前記ディスク状記録媒体に情報を記録中に所定の記録状態目標値と前記ディスク状記録媒体からの再生信号に応じた値とを比較し、その比較した結果に応じて随時記録パワーを修正する記録パワー修正手順と、該記録パワー修正手順によって記録パワーが所定の最大出力値を超える場合に記録を一旦停止する記録停止手順と、該記録停止手順による一旦停止時の記録線速度から所定の記録線速度まで下げて再設定する記録線速度再設定手順と、該記録線速度再設定手順によって再設定された記録線速度における記録パワーを前記試し書き手順によって決定した後、前記一旦停止個所での連続情報が途切れることなく記録を再開する記録再開手順とを実行させるためのプログラムを記録したコンピュータ読み取り可能な記録媒体。
【請求項２１】
コンピュータに、ディスク状記録媒体の円周方向にほぼ一定な線密度で情報を書き込む手順と、前記ディスク状記録媒体の所定の領域に所定の基本線速度で試し書きを行って前記基本線速度における最適記録パワーを決定する試し書き手順と、前記ディスク状記録媒体に情報を記録中に所定の記録状態目標値と前記ディスク状記録媒体からの再生信号に応じた値とを比較し、その比較した結果に応じて随時記録パワーを修正する記録パワー修正手順と、該記録パワー修正手順によって記録パワーが所定の最大出力値を超える場合に記録を一旦停止して所定時間間隔おいた後に一旦停止時の記録線速度で記録を再開する処理を所定回数繰り返す記録停止手順と、該記録停止手順によって前記処理を所定回数繰り返しても更に記録パワーが所定の最大出力値を超える場合には前記記録停止手順による一旦停止時の記録線速度から所定の記録線速度まで下げて再設定する記録線速度再設定手順と、該記録線速度再設定手順によって再設定された記録線速度における記録パワーを前記試し書き手順によって決定した後、前記一旦停止個所での連続情報が途切れることなく記録を再開する記録再開手順とを実行させるためのプログラムを記録したコンピュータ読み取り可能な記録媒体。
【請求項２２】
コンピュータに、ディスク状記録媒体の円周方向にほぼ一定な線密度で情報を書き込む手順と、前記ディスク状記録媒体の所定の領域に所定の基本線速度で試し書きを行って前記基本線速度における最適記録パワーを決定する試し書き手順と、前記ディスク状記録媒体に情報を記録中に所定の記録状態目標値と前記ディスク状記録媒体からの再生信号に応じた値とを比較し、その比較した結果に応じて随時記録パワーを修正する記録パワー修正手順と、該記録パワー修正手順による記録パワーの修正量が所定量を超える場合に記録を一旦停止し、前記試し書き手順によって試し書きを再実行して得た記録パワーを設定して記録を再開する記録再開手順とを実行させるためのプログラムを記録したコンピュータ読み取り可能な記録媒体。
【請求項２３】
コンピュータに、ディスク状記録媒体の半径方向に設けられた複数の記録ゾーン毎に異なる所定の線速度で前記ディスク状記録媒体の円周方向にほぼ一定な線密度で情報を書き込む手順と、前記ディスク状記録媒体の所定の領域に所定の基本線速度で試し書きを行って前記基本線速度における最適記録パワーを決定する試し書き手順と、前記ディスク状記録媒体に情報を記録中に所定の記録状態目標値と前記ディスク状記録媒体からの再生信号に応じた値とを比較し、その比較した結果に応じて随時記録パワーを修正する記録パワー修正手順と、前記記録ゾーンの切り替え点において新規の記録ゾーンの記録パワーとして直前の記録ゾーンまでの記録中に前記記録パワー修正手順によって修正された切り替え直前の記録パワーに対して所定の記録パワー決定処理を施した結果から記録パワーを推定し、その記録パワーが所定の最大記録パワーを超えると判断した場合、直前の記録速度を維持したまま停止することなく記録し続ける手順とを実行させるためのプログラムを記録したコンピュータ読み取り可能な記録媒体。
【請求項２４】
コンピュータに、ディスク状記録媒体の半径方向に設けられた複数の記録ゾーン毎に異なる所定の線速度で前記ディスク状記録媒体の円周方向にほぼ一定な線密度で情報を書き込む手順と、前記ディスク状記録媒体の所定の領域に所定の基本線速度で試し書きを行って前記基本線速度における最適記録パワーを決定する試し書き手順と、前記ディスク状記録媒体に情報を記録中に所定の記録状態目標値と前記ディスク状記録媒体からの再生信号に応じた値とを比較し、その比較した結果に応じて随時記録パワーを修正する記録パワー修正手順と、前記記録ゾーンの切り替え点において記録を停止し、新規の記録ゾーンの記録パワーとして直前の記録ゾーンまでの記録中に前記記録パワー修正手順によって修正された切り替え直前の記録パワーに対して所定の記録パワー決定処理を施した結果から記録パワーを推定し、その記録パワーが所定の最大記録パワーを超えると判断した場合、前記試し書き手順によって試し書きを再実行して得た記録パワーを設定して記録を再開する記録再開手順とを実行させるためのプログラムを記録したコンピュータ読み取り可能な記録媒体。
【請求項２５】
請求項１乃至７のいずれか一項に記載の情報記録装置を備えたことを特徴とする情報処理装置。
【発明の詳細な説明】
【０００１】
【発明の属する技術分野】
この発明は、ＭＯドライブ，ＣＤ−Ｒ／ＲＷドライブ，ＣＤ＋Ｒ／ＲＷドライブ，ＤＶＤ−Ｒ／ＲＷドライブ，ＤＶＤ＋Ｒ／ＲＷドライブ等の情報記録装置と、ＭＯディスク，ＣＤ−Ｒ／ＲＷディスク，ＣＤ＋Ｒ／ＲＷディスク，ＤＶＤ−ＲＡＭ，ＤＶＤ−Ｒ／ＲＷディスク，ＤＶＤ＋Ｒ／ＲＷディスク等の情報記録媒体に情報を記録する情報記録方法と、コンピュータに情報記録媒体に情報を記録する手順を実行させるためのプログラムと、そのプログラムを記録したコンピュータ読み取り可能な記録媒体と、上記情報記録装置によって情報記録媒体に情報を記録するパーソナルコンピュータ等の情報処理装置とに関する。
【０００２】
【従来の技術】
例えば、ＣＤ−Ｒ（Ｃｏｍｐａｃｔ　Ｄｉｓｃ　Ｒｅｃｏｒｄａｂｌｅ）ディスク等の情報記録媒体に情報を記録する情報記録装置（例えば、特開平１１−２９６８５８号公報参照）では、情報記録媒体から常に一定の速度でデータを読み出すために回転数を変化させて線速度一定で情報を記録する線速度一定記録方式（Ｃｏｎｓｔａｎｔ　Ｌｉｎｅａｒ　Ｖｅｌｏｃｉｔｙ：ＣＬＶ方式）が普通に採用されている。このＣＬＶ方式の場合、情報記録媒体とレーザビームとの相対速度がいつも一定なので、記録パワーや記録パルス幅などの記録条件は一度最適に決めてしまえば情報記録媒体の記録面の全面にわたって変える必要がない。そのため、通常は最内周部の特定の領域で記録パワーを振って試し書きを行い、その試し書きによって決定した最適記録パワーを用いて同じ線速度で全面記録して問題はない。
【０００３】
ところが、ＣＬＶ方式では、情報記録媒体の内周部ほど回転数を高くする必要があるので、回転が高速になってくると回転させるのが困難になるし、高速回転可能な高価なモータを採用することによってモータコストが高くなったり、高速回転による騒音や振動が増えたり、その他のサーボシステムの設計も困難になってしまう。そこで、情報記録媒体を常に一定の回転数で回転させて情報を記録する角速度一定記録方式（Ｃｏｎｓｔａｎｔ　Ａｎｇｕｌａｒ　Ｖｅｌｏｃｉｔｙ：ＣＡＶ方式）もあり、このＣＡＶ方式では当然ながら外周部にいくほど線速度は速くなる。また、線速度は外周部にいくほど高くなるので、内周部で回転数をあまり上げない代わりに、外周部へいってもあまり回転数を下げないようにする手法として、情報記録媒体を内周部から適当な半径位置でゾーンを区切って、そのゾーン内はＣＬＶ方式で情報を記録し、外周部側のゾーンほど高い線速度に変えて情報を記録するゾーンＣＬＶ方式（Ｚｏｎｅ　ＣＬＶ：ＺＣＬＶ方式）もあった。
【０００４】
上記のようなＣＡＶ方式であれＺＣＬＶ方式であれ、試し書きをする内周領域の線速度とは異なる線速度で記録するケースが出てくる。その場合、その記録パワーとその他の記録条件をどうするかが課題になってくる。
そこで従来、試し書き結果に所定の演算をして異なる線速度の記録条件を算出する情報記録装置が提案されている。
また、情報記録媒体に情報を記録中、所定の記録状態目標値と情報記録媒体からの再生信号に応じた値を比較し、その比較結果に応じて記録パワーを修正する方式を採用した情報記録装置も提案されている。その方式は、いわゆる試し書き方式をＯＰＣ（Ｏｐｔｉｍｕｍ　Ｐｏｗｅｒ　Ｃｏｎｔｒｏｌ）と称するのに対して、情報の記録中にリアルタイムで記録パワーの修正をするのでランニングＯＰＣ（Ｒｕｎｎｉｎｇ　ＯＰＣ）と呼ばれる。
このランニングＯＰＣにより、記録中のメディア感度変動やレーザ光源の波長変動などによる記録感度変動などを抑えるように適宜記録パワーを最適値に修正して情報を記録することが可能になった。
【０００５】
【発明が解決しようとする課題】
しかしながら、上述した従来の情報記録装置では、ランニングＯＰＣによって記録中に記録パワーを修正していくと、情報記録媒体や記録速度，情報記録装置，情報記録時の外部温度等の条件によってはランニングＯＰＣによるパワー上昇量が大きいとレーザ光源の最大出力可能パワーを超えてしまうという問題があった。そのような場合、レーザ光源を劣化させないために記録パワーを下げる必要があるが、一方ではより高速に記録させることも求められる。
また、ランニングＯＰＣによる記録パワーの変動が大きい場合、レーザ光源の波長の変化等により、記録するために必要なパワー量が異なってくることも考えられる。従って記録速度を変化させたときに記録品質に影響を与えないように考慮することが大切になる。これは特にＤＶＤ＋Ｒディスクなどの短波長で情報を記録する情報記録装置で重要となる。
【０００６】
また、ゾーンＣＬＶ方式では、ゾーンの変り目でランニングＯＰＣの修正分を考慮して次のゾーンの記録パワーを設定する必要があるが、ランニングＯＰＣによるパワー上昇が大きいと次ゾーンの記録開始時設定パワーがレーザ光源の最大出力を超えてしまう恐れがある。
この発明は上記の課題を解決するためになされたものであり、ランニングＯＰＣによるパワー修正の影響でレーザ光源の最大出力を超えてしまう不具合の発生を防止し、ＣＡＶ記録やＺＣＬＶ記録の場合でもレーザ光源を劣化させることなく、最速な記録速度、且つ最適な記録パワーで情報の記録を行って高記録品質を実現できるようにすることを目的とする。
【０００７】
【課題を解決するための手段】
この発明は上記の目的を達成するため、次の（１）〜（７）の情報記録装置を提供する。
（１）ディスク状記録媒体の円周方向にほぼ一定な線密度で情報を書き込む情報記録装置であって、上記ディスク状記録媒体の所定の領域に所定の基本線速度で試し書きを行って前記基本線速度における最適記録パワーを決定する試し書き手段と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手段と、その記録パワー修正手段によって記録パワーが所定の最大出力値を超える場合に記録を一旦停止する記録停止手段と、その記録停止手段による一旦停止時の記録線速度から所定の記録線速度まで下げて再設定する記録線速度再設定手段と、その記録線速度再設定手段によって再設定された記録線速度における記録パワーを上記試し書き手段によって決定した後、上記一旦停止個所での連続情報が途切れることなく記録を再開する記録再開手段を備えた情報記録装置。
【０００８】
（２）ディスク状記録媒体の円周方向にほぼ一定な線密度で情報を書き込む情報記録装置であって、上記ディスク状記録媒体の所定の領域に所定の基本線速度で試し書きを行って上記基本線速度における最適記録パワーを決定する試し書き手段と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手段と、その記録パワー修正手段によって記録パワーが所定の最大出力値を超える場合に記録を一旦停止して所定時間間隔おいた後に一旦停止時の記録線速度で記録を再開する処理を所定回数繰り返す記録停止手段と、その記録停止手段によって上記処理を所定回数繰り返しても更に記録パワーが所定の最大出力値を超える場合には上記記録停止手段による一旦停止時の記録線速度から所定の記録線速度まで下げて再設定する記録線速度再設定手段と、その記録線速度再設定手段によって再設定された記録線速度における記録パワーを上記試し書き手段によって決定した後、上記一旦停止個所での連続情報が途切れることなく記録を再開する記録再開手段を備えた情報記録装置。
【０００９】
（３）ディスク状記録媒体の円周方向にほぼ一定な線密度で情報を書き込む情報記録装置であって、上記ディスク状記録媒体の所定の領域に所定の基本線速度で試し書きを行って上記基本線速度における最適記録パワーを決定する試し書き手段と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手段と、その記録パワー修正手段による記録パワーの修正量が所定量を超える場合に記録を一旦停止し、上記試し書き手段によって試し書きを再実行して得た記録パワーを設定して記録を再開する記録再開手段を備えた情報記録装置。
【００１０】
（４）上記（１）乃至（３）のいずれかの情報記録装置において、上記ディスク状記録媒体の外周部に設けられた所定の領域に対して上記記録を再開するときの線速度で試し書きを行う手段を設けた情報記録装置。
（５）上記（１）乃至（４）のいずれかの情報記録装置において、記録開始前に上記試し書き手段によって試し書きした結果から推定して設定する記録開始時の記録パワーに対して適用される最大記録パワーの許容値よりも、上記記録パワー修正手段によって記録中に修正される記録パワーの許容値を所定値だけ大きくもつようにした情報記録装置。
【００１１】
（６）ディスク状記録媒体の半径方向に設けられた複数の記録ゾーン毎に異なる所定の線速度で上記ディスク状記録媒体の円周方向にほぼ一定な線密度で情報を書き込む情報記録装置であって、上記ディスク状記録媒体の所定の領域に所定の基本線速度で試し書きを行って上記基本線速度における最適記録パワーを決定する試し書き手段と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手段と、上記記録ゾーンの切り替え点において新規の記録ゾーンの記録パワーとして直前の記録ゾーンまでの記録中に上記記録パワー修正手段によって修正された切り替え直前の記録パワーに対して所定の記録パワー決定処理を施した結果から記録パワーを推定し、その記録パワーが所定の最大記録パワーを超えると判断した場合、直前の記録速度を維持したまま停止することなく記録し続ける手段を備えた情報記録装置。
【００１２】
（７）ディスク状記録媒体の半径方向に設けられた複数の記録ゾーン毎に異なる所定の線速度で上記ディスク状記録媒体の円周方向にほぼ一定な線密度で情報を書き込む情報記録装置であって、上記ディスク状記録媒体の所定の領域に所定の基本線速度で試し書きを行って上記基本線速度における最適記録パワーを決定する試し書き手段と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手段と、上記記録ゾーンの切り替え点において記録を停止し、新規の記録ゾーンの記録パワーとして直前の記録ゾーンまでの記録中に上記記録パワー修正手段によって修正された切り替え直前の記録パワーに対して所定の記録パワー決定処理を施した結果から記録パワーを推定し、その記録パワーが所定の最大記録パワーを超えると判断した場合、上記試し書き手段によって試し書きを再実行して得た記録パワーを設定して記録を再開する記録再開手段を備えた情報記録装置。
【００１３】
また、次の（８）〜（１４）の情報記録方法も提供する。
（８）ディスク状記録媒体の円周方向にほぼ一定な線密度で情報を書き込む情報記録方法であって、上記ディスク状記録媒体の所定の領域に所定の基本線速度で試し書きを行って上記基本線速度における最適記録パワーを決定し、上記ディスク状記録媒体に情報を記録中に所定の記録状態目標値と上記ディスク状記録媒体からの再生信号に応じた値とを比較し、その比較した結果に応じて随時記録パワーを修正し、その修正された記録パワーが所定の最大出力値を超える場合に記録を一旦停止し、その一旦停止時の記録線速度から所定の記録線速度まで下げて再設定し、その再設定された記録線速度における記録パワーを上記試し書きによって決定した後、上記一旦停止個所での連続情報が途切れることなく記録を再開する情報記録方法。
【００１４】
（９）ディスク状記録媒体の円周方向にほぼ一定な線密度で情報を書き込む情報記録方法であって、上記ディスク状記録媒体の所定の領域に所定の基本線速度で試し書きを行って上記基本線速度における最適記録パワーを決定し、上記ディスク状記録媒体に情報を記録中に所定の記録状態目標値と上記ディスク状記録媒体からの再生信号に応じた値とを比較し、その比較した結果に応じて随時記録パワーを修正し、その修正された記録パワーが所定の最大出力値を超える場合に記録を一旦停止して所定時間間隔おいた後に一旦停止時の記録線速度で記録を再開する処理を所定回数繰り返し、上記処理を所定回数繰り返しても更に記録パワーが所定の最大出力値を超える場合には上記一旦停止時の記録線速度から所定の記録線速度まで下げて再設定し、その再設定された記録線速度における記録パワーを上記試し書きによって決定した後、上記一旦停止個所での連続情報が途切れることなく記録を再開する情報記録方法。
【００１５】
（１０）ディスク状記録媒体の円周方向にほぼ一定な線密度で情報を書き込む情報記録方法であって、上記ディスク状記録媒体の所定の領域に所定の基本線速度で試し書きを行って上記基本線速度における最適記録パワーを決定し、上記ディスク状記録媒体に情報を記録中に所定の記録状態目標値と上記ディスク状記録媒体からの再生信号に応じた値とを比較し、その比較した結果に応じて随時記録パワーを修正し、その修正された記録パワーの修正量が所定量を超える場合に記録を一旦停止し、上記試し書きによって試し書きを再実行して得た記録パワーを設定して記録を再開する情報記録方法。
【００１６】
（１１）上記（８）乃至（１０）のいずれかの情報記録方法において、上記ディスク状記録媒体の外周部に設けられた所定の領域に対して上記記録を再開するときの線速度で試し書きを行う情報記録方法。
（１２）上記（８）乃至（１１）のいずれかの情報記録方法において、記録開始前に上記試し書きによって試し書きした結果から推定して設定する記録開始時の記録パワーに対して適用される最大記録パワーの許容値よりも、記録中に修正される記録パワーの許容値を所定値だけ大きくもつようにした情報記録方法。
【００１７】
（１３）ディスク状記録媒体の半径方向に設けられた複数の記録ゾーン毎に異なる所定の線速度で上記ディスク状記録媒体の円周方向にほぼ一定な線密度で情報を書き込む情報記録方法であって、上記ディスク状記録媒体の所定の領域に所定の基本線速度で試し書きを行って上記基本線速度における最適記録パワーを決定し、上記ディスク状記録媒体に情報を記録中に所定の記録状態目標値と上記ディスク状記録媒体からの再生信号に応じた値とを比較し、その比較した結果に応じて随時記録パワーを修正し、上記記録ゾーンの切り替え点において新規の記録ゾーンの記録パワーとして直前の記録ゾーンまでの記録中に上記修正された切り替え直前の記録パワーに対して所定の記録パワー決定処理を施した結果から記録パワーを推定し、その記録パワーが所定の最大記録パワーを超えると判断した場合、直前の記録速度を維持したまま停止することなく記録し続ける情報記録方法。
【００１８】
（１４）ディスク状記録媒体の半径方向に設けられた複数の記録ゾーン毎に異なる所定の線速度で前記ディスク状記録媒体の円周方向にほぼ一定な線密度で情報を書き込む情報記録方法であって、上記ディスク状記録媒体の所定の領域に所定の基本線速度で試し書きを行って上記基本線速度における最適記録パワーを決定し、上記ディスク状記録媒体に情報を記録中に所定の記録状態目標値と上記ディスク状記録媒体からの再生信号に応じた値とを比較し、その比較した結果に応じて随時記録パワーを修正し、上記記録ゾーンの切り替え点において記録を停止し、新規の記録ゾーンの記録パワーとして直前の記録ゾーンまでの記録中に上記修正された切り替え直前の記録パワーに対して所定の記録パワー決定処理を施した結果から記録パワーを推定し、その記録パワーが所定の最大記録パワーを超えると判断した場合、上記試し書きによって試し書きを再実行して得た記録パワーを設定して記録を再開する情報記録方法。
【００１９】
さらに、次の（１５）〜（１９）のプログラムも提供する。
（１５）コンピュータに、ディスク状記録媒体の円周方向にほぼ一定な線密度で情報を書き込む手順と、上記ディスク状記録媒体の所定の領域に所定の基本線速度で試し書きを行って上記基本線速度における最適記録パワーを決定する試し書き手順と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手順と、その記録パワー修正手順によって記録パワーが所定の最大出力値を超える場合に記録を一旦停止する記録停止手順と、その記録停止手順による一旦停止時の記録線速度から所定の記録線速度まで下げて再設定する記録線速度再設定手順と、その記録線速度再設定手順によって再設定された記録線速度における記録パワーを上記試し書き手順によって決定した後、上記一旦停止個所での連続情報が途切れることなく記録を再開する記録再開手順を実行させるためのプログラム。
【００２０】
（１６）コンピュータに、ディスク状記録媒体の円周方向にほぼ一定な線密度で情報を書き込む手順と、上記ディスク状記録媒体の所定の領域に所定の基本線速度で試し書きを行って上記基本線速度における最適記録パワーを決定する試し書き手順と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手順と、その記録パワー修正手順によって記録パワーが所定の最大出力値を超える場合に記録を一旦停止して所定時間間隔おいた後に一旦停止時の記録線速度で記録を再開する処理を所定回数繰り返す記録停止手順と、その記録停止手順によって上記処理を所定回数繰り返しても更に記録パワーが所定の最大出力値を超える場合には上記記録停止手順による一旦停止時の記録線速度から所定の記録線速度まで下げて再設定する記録線速度再設定手順と、その記録線速度再設定手順によって再設定された記録線速度における記録パワーを上記試し書き手順によって決定した後、上記一旦停止個所での連続情報が途切れることなく記録を再開する記録再開手順を実行させるためのプログラム。
【００２１】
（１７）コンピュータに、ディスク状記録媒体の円周方向にほぼ一定な線密度で情報を書き込む手順と、上記ディスク状記録媒体の所定の領域に所定の基本線速度で試し書きを行って上記基本線速度における最適記録パワーを決定する試し書き手順と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手順と、その記録パワー修正手順による記録パワーの修正量が所定量を超える場合に記録を一旦停止し、上記試し書き手順によって試し書きを再実行して得た記録パワーを設定して記録を再開する記録再開手順を実行させるためのプログラム。
【００２２】
（１８）コンピュータに、ディスク状記録媒体の半径方向に設けられた複数の記録ゾーン毎に異なる所定の線速度で上記ディスク状記録媒体の円周方向にほぼ一定な線密度で情報を書き込む手順と、上記ディスク状記録媒体の所定の領域に所定の基本線速度で試し書きを行って上記基本線速度における最適記録パワーを決定する試し書き手順と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手順と、上記記録ゾーンの切り替え点において新規の記録ゾーンの記録パワーとして直前の記録ゾーンまでの記録中に上記記録パワー修正手順によって修正された切り替え直前の記録パワーに対して所定の記録パワー決定処理を施した結果から記録パワーを推定し、その記録パワーが所定の最大記録パワーを超えると判断した場合、直前の記録速度を維持したまま停止することなく記録し続ける手順を実行させるためのプログラム。
【００２３】
（１９）コンピュータに、ディスク状記録媒体の半径方向に設けられた複数の記録ゾーン毎に異なる所定の線速度で上記ディスク状記録媒体の円周方向にほぼ一定な線密度で情報を書き込む手順と、上記ディスク状記録媒体の所定の領域に所定の基本線速度で試し書きを行って上記基本線速度における最適記録パワーを決定する試し書き手順と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手順と、上記記録ゾーンの切り替え点において記録を停止し、新規の記録ゾーンの記録パワーとして直前の記録ゾーンまでの記録中に上記記録パワー修正手順によって修正された切り替え直前の記録パワーに対して所定の記録パワー決定処理を施した結果から記録パワーを推定し、その記録パワーが所定の最大記録パワーを超えると判断した場合、上記試し書き手順によって試し書きを再実行して得た記録パワーを設定して記録を再開する記録再開手順を実行させるためのプログラム。
【００２４】
さらにまた、次の（２０）〜（２４）のコンピュータ読み取り可能な記録媒体も提供する。
（２０）コンピュータに、ディスク状記録媒体の円周方向にほぼ一定な線密度で情報を書き込む手順と、上記ディスク状記録媒体の所定の領域に所定の基本線速度で試し書きを行って上記基本線速度における最適記録パワーを決定する試し書き手順と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手順と、その記録パワー修正手順によって記録パワーが所定の最大出力値を超える場合に記録を一旦停止する記録停止手順と、その記録停止手順による一旦停止時の記録線速度から所定の記録線速度まで下げて再設定する記録線速度再設定手順と、その記録線速度再設定手順によって再設定された記録線速度における記録パワーを上記試し書き手順によって決定した後、上記一旦停止個所での連続情報が途切れることなく記録を再開する記録再開手順を実行させるためのプログラムを記録したコンピュータ読み取り可能な記録媒体。
【００２５】
（２１）コンピュータに、ディスク状記録媒体の円周方向にほぼ一定な線密度で情報を書き込む手順と、上記ディスク状記録媒体の所定の領域に所定の基本線速度で試し書きを行って上記基本線速度における最適記録パワーを決定する試し書き手順と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手順と、その記録パワー修正手順によって記録パワーが所定の最大出力値を超える場合に記録を一旦停止して所定時間間隔おいた後に一旦停止時の記録線速度で記録を再開する処理を所定回数繰り返す記録停止手順と、その記録停止手順によって上記処理を所定回数繰り返しても更に記録パワーが所定の最大出力値を超える場合には上記記録停止手順による一旦停止時の記録線速度から所定の記録線速度まで下げて再設定する記録線速度再設定手順と、その記録線速度再設定手順によって再設定された記録線速度における記録パワーを上記試し書き手順によって決定した後、上記一旦停止個所での連続情報が途切れることなく記録を再開する記録再開手順を実行させるためのプログラムを記録したコンピュータ読み取り可能な記録媒体。
【００２６】
（２２）コンピュータに、ディスク状記録媒体の円周方向にほぼ一定な線密度で情報を書き込む手順と、上記ディスク状記録媒体の所定の領域に所定の基本線速度で試し書きを行って上記基本線速度における最適記録パワーを決定する試し書き手順と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手順と、その記録パワー修正手順による記録パワーの修正量が所定量を超える場合に記録を一旦停止し、上記試し書き手順によって試し書きを再実行して得た記録パワーを設定して記録を再開する記録再開手順を実行させるためのプログラムを記録したコンピュータ読み取り可能な記録媒体。
【００２７】
（２３）コンピュータに、ディスク状記録媒体の半径方向に設けられた複数の記録ゾーン毎に異なる所定の線速度で上記ディスク状記録媒体の円周方向にほぼ一定な線密度で情報を書き込む手順と、上記ディスク状記録媒体の所定の領域に所定の基本線速度で試し書きを行って上記基本線速度における最適記録パワーを決定する試し書き手順と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手順と、上記記録ゾーンの切り替え点において新規の記録ゾーンの記録パワーとして直前の記録ゾーンまでの記録中に上記記録パワー修正手順によって修正された切り替え直前の記録パワーに対して所定の記録パワー決定処理を施した結果から記録パワーを推定し、その記録パワーが所定の最大記録パワーを超えると判断した場合、直前の記録速度を維持したまま停止することなく記録し続ける手順を実行させるためのプログラムを記録したコンピュータ読み取り可能な記録媒体。
【００２８】
（２４）コンピュータに、ディスク状記録媒体の半径方向に設けられた複数の記録ゾーン毎に異なる所定の線速度で上記ディスク状記録媒体の円周方向にほぼ一定な線密度で情報を書き込む手順と、上記ディスク状記録媒体の所定の領域に所定の基本線速度で試し書きを行って上記基本線速度における最適記録パワーを決定する試し書き手順と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手順と、上記記録ゾーンの切り替え点において記録を停止し、新規の記録ゾーンの記録パワーとして直前の記録ゾーンまでの記録中に上記記録パワー修正手順によって修正された切り替え直前の記録パワーに対して所定の記録パワー決定処理を施した結果から記録パワーを推定し、その記録パワーが所定の最大記録パワーを超えると判断した場合、上記試し書き手順によって試し書きを再実行して得た記録パワーを設定して記録を再開する記録再開手順を実行させるためのプログラムを記録したコンピュータ読み取り可能な記録媒体。
あるいはまた、次の（２５）の情報処理装置も提供する。
（２５）上記（１）乃至（７）のいずれかの情報記録装置を備えた情報処理装置。
【００２９】
【発明の実施の形態】
以下、この発明の実施形態を図面に基づいて具体的に説明する。
図１は、この発明の一実施形態である光ディスク装置の構成を示すブロック図である。
この光ディスク装置は、ＭＯディスク，ＣＤ−Ｒ／ＲＷディスク，ＣＤ＋Ｒ／ＲＷディスク，ＤＶＤ−ＲＡＭ，ＤＶＤ−Ｒ／ＲＷディスク，ＤＶＤ＋Ｒ／ＲＷディスク等の光ディスク（ディスク状記録媒体）１００に対する情報の記録及び再生を行う情報記録再生装置である。
回転モータ１０２は光ディスク１００を回転する。
ヘッド１０３は、光ディスク１００の記録膜上に光ビームを集光させ、記録マークを形成する。また、光ディスク１００の半径方向に移動可能であり、光ディスク１００に予め設けられた試し書き領域や、ユーザデータ領域にアクセス可能である。
【００３０】
ヘッド１０３には、図示を省略した公知のレーザ光源が搭載されている。このレーザ光源は一般的には半導体レーザ（Ｌａｓｅｒ　Ｄｉｏｄｅ：ＬＤ）が用いられる。このレーザ光源はＬＤドライバ１０４によって、所定の記録パワーＰｗの状態に入力パルスｗｄａｔａ信号で変調される。レーザ光が、記録パワー状態とスペースパワー状態の間で変調されることで、光ディスク１００の記録膜上には記録マークとそうでないところができる。これを再生すると反射率の差が生じて情報信号として再生することができる。
ＣＰＵ１０１は、光ディスク１００に対するＣＬＶ方式，ＺＣＬＶ方式，ＣＡＶ方式での情報の記録を制御する。ＺＣＬＶ方式の場合、ＺＣＬＶ制御部１１１が、所定の速度で回転モータ１０２を回転させると同時に、速度に応じた記録パワーを記憶したり算出したりするようにパワー算出部１０９に現在の記録速度情報を与える。記録状態検出部１０８は、記録中のヘッド１０３からの再生信号を所定のタイミングでサンプリングし、記録パワーで正規化した値を記録状態検出値（「Ｂ値」と呼ぶ）とする。
【００３１】
図２は、上記記録状態検出部１０８の動作説明に供する波形図である。
同図の（ｂ）に示す「ＬＤパワー（ＬＤ　ｐｏｗｅｒ）」が高レベルになっているところが記録パルスの発生部分であり、この間の所定のタイミング（同図（ａ）中に○印を付した点）で再生信号（ＲＦ　ｓｉｇｎａｌ）をサンプリングする。さらにパワーレベルによる再生光量レベルの違いをキャンセルするため、記録パワーで除算（正規化）する。
その結果、記録状態検出値（Ｂ値）は、記録パワー不足なら記録マーク（低反射になる）形成が十分でないので高いレベルになり、記録パワー過大ならマーク形成が過剰になって低いレベルになる。
【００３２】
このＢ値を、パワー修正部１０７で所定の目標値と比較する。
パワー修正部１０７は、その比較結果に応じて記録パワーを修正する。すなわち、Ｂ値が所定の目標値より小さければパワー過大なので記録パワーを下げるように修正し、逆に目標値より大きければパワー不足なので記録パワーを上げるように修正する。
これにより、記録パワーは、記録状態が最適になるように制御される。これがランニング（Ｒｕｎｎｉｎｇ）ＯＰＣの動作である。
しかし、ランニングＯＰＣは、一般には制御速度が高速でないので、記録開始時にすぐには応答できない。このため、記録パワーとしてはなんらかの初期値が必要になる。
【００３３】
この初期値は、最初は試し書き（ＯＰＣ）の結果から与えられる。
試し書き部１０５は、光ディスク１００の所定の領域で記録パワーを可変して試し書きを行い、その試し書きした場所を再生してその再生信号を評価し、その評価結果に基づいて最適な記録パワーを得る。
初期値設定部１０６は、記録パワーの初期値を設定する。試し書きで得た最適記録パワーは、試し書きを行った線速度のものなので、ＣＡＶ方式やＺＣＬＶ方式のように、試し書きと異なる線速度で記録をする場合は、適当な演算（例えば線速度に比例して算出）を行って記録パワーを得る。
例えば、試し書き線速度Ｖ０において最適記録パワーＰｗ０が得られた場合、別の線速度Ｖ１における記録パワーＰｗ１は、次の数１に基づく演算によって得られる。
【００３４】
【数１】
Ｐｗ１＝（Ｖ１／Ｖ０）＊Ｐｗ０
【００３５】
もちろん、この演算はより複雑な手法を用いてもよい。
パワー算出部１０９は、記録開始（あるいは再開）時の線速度から記録パワー初期値を算出して初期値設定部１０６に与える。
したがって、原則として前回記録終了した位置から追加記録する場合は、前回終了時に記録パワーが初期値になって記録開始するので、記録パワーに変化がなく最低な記録状態のまま記録が行われる。
【００３６】
図３は、ＺＣＬＶ方式によるゾーン区分けの一例を示す説明図である。
この例では、光ディスク１００に記載されているアドレスに応じて４ゾーンを設け、内周から１２倍速（以降倍速を「ｘ」と記述する）、１６ｘ，２０ｘ，２４ｘというように可変する。
ゾーンの切替りでは、例えば上記数１に基づく演算に従って次のゾーンの記録パワーを推定して追加記録する。このとき、前のゾーンのライト開始時の記録パワーだけでなく、ランニングＯＰＣによる記録パワー変化も考慮して次のゾーンの記録パワーを推定する方がより最適な記録パワーで追加記録が行える。
レーザ光源（ＬＤ）は、その定格出力を超える高記録パワーを出力すると劣化する恐れがある。一般にＬＤの劣化する記録パワーは個々にばらつきがある。そういったＬＤのばらつきやＬＤパワーコントロール系の誤差も考慮し、ＬＤを劣化させない程度に光ディスク装置の最大出力レベルは決められる。
パワーリミット検出部１１０では記録パワー修正値とリミット値を比較し、その比較結果（検出結果）がＺＣＬＶ制御部１１１に伝えられる。
【００３７】
次に、この光ディスク装置における第１の記録処理について説明する。
この場合、上記ＣＰＵ１０１が、ディスク状記録媒体の円周方向にほぼ一定な線密度で情報を書き込む手段と、上記ディスク状記録媒体の所定の領域に所定の基本線速度で試し書きを行って上記基本線速度における最適記録パワーを決定する試し書き手段と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手段と、その記録パワー修正手段によって記録パワーが所定の最大出力値を超える場合に記録を一旦停止する記録停止手段と、その記録停止手段による一旦停止時の記録線速度から所定の記録線速度まで下げて再設定する記録線速度再設定手段と、その記録線速度再設定手段によって再設定された記録線速度における記録パワーを上記試し書き手段によって決定した後、上記一旦停止個所での連続情報が途切れることなく記録を再開する記録再開手段の機能を果たす。
【００３８】
上記ＣＰＵ１０１によって上記各機能を実現させるため、上記ＣＰＵ１０１内の図示を省略したＲＯＭに予め上記機能を実行させるためのプログラムをインストールする。また、ＣＤ−ＲＯＭディスク等の光ディスクやＭＯ等の光磁気ディスク等に上記プログラムを格納し、そのディスクを介して上記ＣＰＵ１０１のメモリにインストールすることにより上記機能を実現させるようにしても良い。さらに、無線や有線の通信を介して外部の端末装置から上記プログラムをインストールするようにしてもよい。
【００３９】
図４は、図１に示した光ディスク装置における第１の記録処理を示すフローチャート図である。
ＣＰＵ１０１は、光ディスクの円周方向にほぼ一定な線密度で情報を書き込む処理において、ステップ（図中「Ｓ」で示す）１で光ディスクの所定の領域に所定の基本線速度で試し書きを行って基本線速度における最適記録パワーを決定し、その線速度Ｎｘで光ディスクの円周方向にほぼ一定な線密度で情報を記録し、ステップ２でランニングＯＰＣによって光ディスクに情報を記録中に所定の記録状態目標値と光ディスクからの再生信号に応じた値とを比較し、その比較した結果に応じて随時記録パワーを修正し、ステップ３でその修正された記録パワーがリミット値（所定の最大出力値）を超えるか否かを判断する。
【００４０】
ステップ３の判断で修正された記録パワーがリミット値を超えなければ、最初の処理に戻って情報記録中は上記の処理を繰り返し、超える場合にはステップ４で記録を一旦停止し、ステップ５でその一旦停止時の記録線速度から所定の記録線速度まで下げて、例えば、設定した線速度を１段下げて再設定し、ステップ６でその再設定された記録線速度における記録パワーをＯＰＣ（試し書き）によって決定した後、ステップ７でその決定した記録パワーで一旦停止個所での連続情報が途切れることなく記録を再開し、この処理を終了する。
【００４１】
このようにして、ランニングＯＰＣによって修正した記録パワーがリミットを超えたときもしくは超えそうになったとき、記録を一旦停止し、記録線速度を１段下げてＯＰＣを再実行してから記録再開する。
この第１の記録処理によれば、記録中の記録パワー修正によって記録パワーが設定可能の最大値まで達する前に記録速度を落して試し書きを再実行するので、レーザ光源の劣化を防ぎつつ記録中に変わった温度等の条件変化を反映して正確に記録パワーを決めることができ、品質のよい記録を最小の記録時間増加にとどめて実現することができる。
【００４２】
次に、この光ディスク装置における第２の記録処理について説明する。
この場合、上記ＣＰＵ１０１が、ディスク状記録媒体の円周方向にほぼ一定な線密度で情報を書き込む手段と、上記ディスク状記録媒体の所定の領域に所定の基本線速度で試し書きを行って上記基本線速度における最適記録パワーを決定する試し書き手段と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手段の機能を果たす。
【００４３】
また、その記録パワー修正手段によって記録パワーが所定の最大出力値を超える場合に記録を一旦停止して所定時間間隔おいた後に一旦停止時の記録線速度で記録を再開する処理を所定回数繰り返す記録停止手段と、その記録停止手段によって上記処理を所定回数繰り返しても更に記録パワーが所定の最大出力値を超える場合には上記記録停止手段による一旦停止時の記録線速度から所定の記録線速度まで下げて再設定する記録線速度再設定手段と、その記録線速度再設定手段によって再設定された記録線速度における記録パワーを前記試し書き手段によって決定した後、上記一旦停止個所での連続情報が途切れることなく記録を再開する記録再開手段の機能を果たす。
【００４４】
上記ＣＰＵ１０１によって上記各機能を実現させるため、上記ＣＰＵ１０１内の図示を省略したＲＯＭに予め上記機能を実行させるためのプログラムをインストールする。また、ＣＤ−ＲＯＭディスク等の光ディスクやＭＯ等の光磁気ディスク等に上記プログラムを格納し、そのディスクを介して上記ＣＰＵ１０１のメモリにインストールすることにより上記機能を実現させるようにしても良い。さらに、無線や有線の通信を介して外部の端末装置から上記プログラムをインストールするようにしてもよい。
【００４５】
図５は、図１に示した光ディスク装置における第２の記録処理を示すフローチャート図である。
ＣＰＵ１０１は、光ディスクの円周方向にほぼ一定な線密度で情報を書き込む処理において、ステップ（図中「Ｓ」で示す）１１で光ディスクの所定の領域に所定の基本線速度で試し書きを行って基本線速度における最適記録パワーを決定し、その線速度Ｎｘで光ディスクの円周方向にほぼ一定な線密度で情報を記録し、ステップ１２でランニングＯＰＣによって光ディスクに情報を記録中に所定の記録状態目標値と光ディスクからの再生信号に応じた値とを比較し、その比較した結果に応じて随時記録パワーを修正し、ステップ１３でその修正された記録パワーがリミット値（所定の最大出力値）を超えるか否かを判断し、超えなければ最初の処理に戻って情報記録中は上記の処理を繰り返す。
【００４６】
ステップ１３の判断でリミット値を超える場合には、ステップ１４で記録を一旦停止して所定時間間隔おいた後、ステップ１５で記録停止が所定回数以下か否かを判断し、所定回数以下なら最初の処理に戻って上述の処理を繰り返し、所定回数以下でない場合（所定回数を超えたら）、すなわち上記処理を所定回数繰り返しても更に記録パワーが所定の最大出力値を超える場合には、ステップ１６で一旦停止時の記録線速度から所定の記録線速度まで下げて、例えば、設定した線速度を１段下げて再設定し、ステップ１７でその再設定された記録線速度における記録パワーをＯＰＣ（試し書き）によって決定した後、ステップ１８でその決定した記録パワーで一旦停止個所での連続情報が途切れることなく記録を再開し、この処理を終了する。
【００４７】
このようにして、パワーリミットになったら、まず記録を一定時間停止して書き込み再開して、それでもリミットに達するのであれば再び一定時間停止して書き込み再開する処理を所定回数繰り返し、更にリミットに達する場合に初めて記録線速度を下げるようにする。
この第２の記録処理によれば、パワーリミットになったら記録を一旦停止し、一定時間停止した後に再開することによって記録中の温度上昇による記録パワーの変化を下げることができる。
したがって、不必要に線速度を下げないようにすることで記録時間の延長を最低限度に防ぐことができ、可能な限り最速な速度でしかもレーザ光源への負担を最小限にとどめて記録することができる。
【００４８】
次に、この光ディスク装置における第３の記録処理について説明する。
記録パワーの最適値が記録中に変化する原因としては、温度変化によるレーザ波長の変化や記録媒体の面内状態の変化等の原因が考えられるが、記録パワー修正による修正量が大きい場合、その時点での真の最適記録パワーからずれている場合が考えられる。
そこで、この第３の記録処理は、ランニングＯＰＣによる記録パワー変化が多い場合にも、実際の最適記録パワーとの誤差が大きくなっている可能性が高いため、パワーリミットになったら記録を一旦停止し、ＯＰＣを再実行する。
【００４９】
この場合、上記ＣＰＵ１０１が、ディスク状記録媒体の円周方向にほぼ一定な線密度で情報を書き込む手段と、上記ディスク状記録媒体の所定の領域に所定の基本線速度で試し書きを行って上記基本線速度における最適記録パワーを決定する試し書き手段と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手段と、その記録パワー修正手段による記録パワーの修正量が所定量を超える場合に記録を一旦停止し、上記試し書き手段によって試し書きを再実行して得た記録パワーを設定して記録を再開する記録再開手段の機能を果たす。
【００５０】
上記ＣＰＵ１０１によって上記各機能を実現させるため、上記ＣＰＵ１０１内の図示を省略したＲＯＭに予め上記機能を実行させるためのプログラムをインストールする。また、ＣＤ−ＲＯＭディスク等の光ディスクやＭＯ等の光磁気ディスク等に上記プログラムを格納し、そのディスクを介して上記ＣＰＵ１０１のメモリにインストールすることにより上記機能を実現させるようにしても良い。さらに、無線や有線の通信を介して外部の端末装置から上記プログラムをインストールするようにしてもよい。
【００５１】
図６は、図１に示した光ディスク装置における第３の記録処理を示すフローチャート図である。
ＣＰＵ１０１は、光ディスクの円周方向にほぼ一定な線密度で情報を書き込む処理において、ステップ（図中「Ｓ」で示す）２１で光ディスクの所定の領域に所定の基本線速度で試し書きを行って基本線速度における最適記録パワーを決定し、その線速度Ｎｘで光ディスクの円周方向にほぼ一定な線密度で情報を記録し、ステップ２２でランニングＯＰＣによって光ディスクに情報を記録中に所定の記録状態目標値と光ディスクからの再生信号に応じた値とを比較し、その比較した結果に応じて随時記録パワーを修正し、ステップ２３でその修正された記録パワーの修正量が所定量を超えるか否かを判断し、超えないなら最初の処理に戻って上述の処理を繰り返す。
【００５２】
ステップ２３の判断で修正された記録パワーの修正量が所定量を超える場合、ステップ２４で記録を一旦停止し、ステップ２５でＯＰＣ（試し書き）によって試し書きを再実行して記録パワーを再取得し、ステップ２６でその記録パワーを設定して記録を再開し、この処理を終了する。
この第３の記録処理によれば、パワーリミットになったら記録を一旦停止し、試し書きを再び行ってその時点での真の最適記録パワーを求めて記録するので、より品質のよい記録が行える。
【００５３】
次に、この光ディスク装置における第４の記録処理について説明する。
ランニングＯＰＣによって記録パワーが変化する最も大きな要因は記録パワー出力によるＬＤの温度上昇であるから、そのような記録パワーの変化は記録を停止してその温度を下げることである程度押さえることができる。
そこで、この第４の記録処理は、ＯＰＣの実行を実記録速度で行うことによってより正確に記録パワーを求める。
例えば、オレンジブック・パート２・ボリューム２・バージョン１．１（Ｏｒａｎｇｅ　Ｂｏｏｋ　ｐａｒｔ２　ｖｏｌｕｍｅ２　ｖｅｒ１．１）では、ＣＤ−Ｒディスクのディスク外周領域におけるパワーキャリブレーションエリアを定義しており、こういった手段を用いることで実ライト速度でのＯＰＣを行える。
【００５４】
この場合、上記ＣＰＵ１０１が、上記ディスク状記録媒体の外周部に設けられた所定の領域に対して上記記録を再開するときの線速度で試し書きを行う手段の機能を果たす。そこで、上記プログラムにこの機能をＣＰＵ１０１によって実現させるためのプログラムを追加する。
そして、ＣＰＵ１０１は上述の第１〜第３の処理において、光ディスク１００の外周部に設けられた所定の領域に対して上記記録を再開するときの線速度でＯＰＣ（試し書き）を行う。
この第４の記録処理によれば、記録媒体の外周部に設けられた所定の領域において記録再開時の線速度で試し書きを行うので、より品質のよい記録を行える。
【００５５】
次に、この光ディスク装置における第５の記録処理について説明する。
上述したように光ディスク装置の最大出力パワーはＬＤを劣化させないようにかなりのマージンをもって決められており、特に記録時のようなパルス発光であれば多少パワーを上げても短時間であればダメージは余り無い。ランニングＯＰＣによる記録パワーの修正は記録中に行われるものであり、残りの記録時間も少ないため多少設定パワーを上げても問題ないといえる場合がある。
そこで、第５の記録処理は、記録開始時のパワーに適用されるリミットよりもランニングＯＰＣによる記録パワー上昇分は所定値だけ許容されるようにする。もちろん、その所定値の設定はＬＤにダメージを与えない程度に注意して決めなければならないが、ランニングＯＰＣの影響で記録速度を落さなければならない場面を大幅に減らすことができる。
【００５６】
この場合、上記ＣＰＵ１０１が、記録開始前に上記試し書き手段によって試し書きした結果から推定して設定する記録開始時の記録パワーに対して適用される最大記録パワーの許容値よりも、上記記録パワー修正手段によって記録中に修正される記録パワーの許容値を所定値だけ大きくもつようにする機能を果たす。そこで、上記プログラムにこの機能をＣＰＵ１０１によって実現させるためのプログラムを追加する。
そして、ＣＰＵ１０１は上述の第１〜第４の処理において、記録開始前にＯＰＣ（試し書き）による結果から推定して設定する記録開始時の記録パワーに対して適用される最大記録パワーの許容値よりも、記録パワー修正によって記録中に修正される記録パワーの許容値を所定値だけ大きくもつようにする。
【００５７】
この第５の記録処理によれば、記録中の記録パワー修正による必要記録パワーの上昇は残りの記録時間も少なくなっており多少パワーを上げてもレーザ光源の負担は少ないことから、若干の補正による最大記録パワー値を大きくすることによって記録速度ダウンの発生を押さえることができ、最大可能記録速度を実現できる。
【００５８】
次に、この光ディスク装置における第６と第７の記録処理について説明する。
記録開始前にＯＰＣを実行すると、ＺＣＬＶ制御部１１１によって各ゾーンでの記録パワーは推定されるが、そのときはリミットを越えていなかったものがランニングＯＰＣによる記録パワー修正によってゾーン切替時にリミットを越えてしまう場合がある。次のゾーンの記録開始時に直前のゾーンまでの記録中の記録パワー修正による記録パワー変化を考慮して記録パワーを設定することは最適記録パワーを設定するために必要であるが、リミットを超えるような記録パワーの補正は避けなければならない。
そこで、第６の記録処理では、ゾーンの終了位置直前にてその時点での記録パワーから新規ゾーンの記録速度での記録パワーを推定し、リミットを超える場合には記録速度を変えずにそのまま記録を続行する。
【００５９】
この場合、上記ＣＰＵ１０１が、ディスク状記録媒体の半径方向に設けられた複数の記録ゾーン毎に異なる所定の線速度で上記ディスク状記録媒体の円周方向にほぼ一定な線密度で情報を書き込む手段と、上記ディスク状記録媒体の所定の領域に所定の基本線速度で試し書きを行って上記基本線速度における最適記録パワーを決定する試し書き手段と、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手段と、上記記録ゾーンの切り替え点において新規の記録ゾーンの記録パワーとして直前の記録ゾーンまでの記録中に上記記録パワー修正手段によって修正された切り替え直前の記録パワーに対して所定の記録パワー決定処理を施した結果から記録パワーを推定し、その記録パワーが所定の最大記録パワーを超えると判断した場合、直前の記録速度を維持したまま停止することなく記録し続ける手段の機能を果たす。
【００６０】
上記ＣＰＵ１０１によって上記各機能を実現させるため、上記ＣＰＵ１０１内の図示を省略したＲＯＭに予め上記機能を実行させるためのプログラムをインストールする。また、ＣＤ−ＲＯＭディスク等の光ディスクやＭＯ等の光磁気ディスク等に上記プログラムを格納し、そのディスクを介して上記ＣＰＵ１０１のメモリにインストールすることにより上記機能を実現させるようにしても良い。さらに、無線や有線の通信を介して外部の端末装置から上記プログラムをインストールするようにしてもよい。
【００６１】
図７は、図１に示した光ディスク装置における第６の記録処理を示すフローチャート図である。
ＣＰＵ１０１は、光ディスクの半径方向に設けられた複数の記録ゾーン毎に異なる所定の線速度で光ディスクの円周方向にほぼ一定な線密度で情報を書き込む処理において、ステップ（図中「Ｓ」で示す）３１で光ディスクの所定の領域に所定の基本線速度で試し書きを行って基本線速度における最適記録パワーを決定し、その線速度Ｎｘでゾーン１（第１ゾーン）に光ディスクの円周方向にほぼ一定な線密度で情報を記録し、ステップ３２で光ディスクに情報を記録中に所定の記録状態目標値と光ディスクからの再生信号に応じた値とを比較し、その比較した結果に応じて随時記録パワーを修正し、ゾーン１の終了位置手前で線速度をＮｘより１段上げたときの記録パワー（記録ゾーンの切り替え点において新規の記録ゾーンの記録パワーとして直前の記録ゾーンまでの記録中に上記修正された切り替え直前の記録パワーに対して所定の記録パワー決定処理を施した結果から記録パワー）を推定する。
【００６２】
ステップ３３でその推定記録パワーはリミット値（所定の最大記録パワー）を超えるか否かを判断し、超えると判断した場合、ステップ３６で直前の記録速度である線速度Ｎｘを維持したまま停止することなくゾーン２（第２ゾーン）の記録を再開して記録し続け、この処理を終了する。
ステップ３３の判断で推定記録パワーがリミット値を超えない場合、ステップ３４で記録を一旦停止し、ステップ３５で線速度をＮｘより１段上げてゾーン２の記録を再開して記録し続け、この処理を終了する。
この第６の記録処理によれば、記録パワーの修正量の影響によって記録パワーが最大値を超えてしまう場合、記録を停止することなく記録速度をそのままにして記録しつづけるので、停止による記録時間の延長を押さえ、レーザ光源への負担も考慮した最大記録速度で記録を行える。
【００６３】
次に、第７の記録処理は、ゾーン終了位置で一旦停止し、ＯＰＣを再実行することによって新規ゾーンの記録パワーを求めた結果、やはりリミットを超える場合は旧ゾーンの速度を維持したまま記録を再開する。
この場合、上記ＣＰＵ１０１が、ディスク状記録媒体の半径方向に設けられた複数の記録ゾーン毎に異なる所定の線速度で上記ディスク状記録媒体の円周方向にほぼ一定な線密度で情報を書き込む手段と、上記ディスク状記録媒体の所定の領域に所定の基本線速度で試し書きを行って上記基本線速度における最適記録パワーを決定する試し書き手段の機能を果たす。
【００６４】
また、上記ディスク状記録媒体に情報を記録中に所定の記録状態目標値と上記ディスク状記録媒体からの再生信号に応じた値とを比較し、その比較した結果に応じて随時記録パワーを修正する記録パワー修正手段と、上記記録ゾーンの切り替え点において記録を停止し、新規の記録ゾーンの記録パワーとして直前の記録ゾーンまでの記録中に上記記録パワー修正手段によって修正された切り替え直前の記録パワーに対して所定の記録パワー決定処理を施した結果から記録パワーを推定し、その記録パワーが所定の最大記録パワーを超えると判断した場合、上記試し書き手段によって試し書きを再実行して得た記録パワーを設定して記録を再開する記録再開手段の機能を果たす。
【００６５】
上記ＣＰＵ１０１によって上記各機能を実現させるため、上記ＣＰＵ１０１内の図示を省略したＲＯＭに予め上記機能を実行させるためのプログラムをインストールする。また、ＣＤ−ＲＯＭディスク等の光ディスクやＭＯ等の光磁気ディスク等に上記プログラムを格納し、そのディスクを介して上記ＣＰＵ１０１のメモリにインストールすることにより上記機能を実現させるようにしても良い。さらに、無線や有線の通信を介して外部の端末装置から上記プログラムをインストールするようにしてもよい。
【００６６】
図８は、図１に示した光ディスク装置における第７の記録処理を示すフローチャート図である。
ＣＰＵ１０１は、光ディスクの半径方向に設けられた複数の記録ゾーン毎に異なる所定の線速度で光ディスクの円周方向にほぼ一定な線密度で情報を書き込む処理において、ステップ（図中「Ｓ」で示す）４１で光ディスクの所定の領域に所定の基本線速度で試し書きを行って基本線速度における最適記録パワーを決定し、その線速度Ｎｘでゾーン１（第１ゾーン）に光ディスクの円周方向にほぼ一定な線密度で情報を記録し、ステップ４２で光ディスクに情報を記録中に所定の記録状態目標値と光ディスクからの再生信号に応じた値とを比較し、その比較した結果に応じて随時記録パワーを修正し、ゾーン１の終了位置（切り替え点）において記録を一旦停止し、ステップ４３で線速度をＮｘより１段上げたときの記録パワー（新規の記録ゾーンの記録パワーとして直前の記録ゾーンまでの記録中に上記修正された切り替え直前の記録パワーに対して所定の記録パワー決定処理を施した結果から記録パワー）を推定する。
【００６７】
ステップ４４でその推定記録パワーはリミット値（所定の最大記録パワー）を超えるか否かを判断し、超えないと判断した場合、ステップ４８で線速度をＮｘより１段上げてゾーン２（第２ゾーン）の記録を再開して記録し続け、この処理を終了する。
ステップ４４の判断で推定記録パワーがリミット値を超える場合、ステップ４５でＯＰＣ（試し書き）を再実行し、その再実行によってゾーン２の記録パワーを推定し、ステップ４６でその推定記録パワーがリミット値を超えるか否かを判断し、超えないと判断した場合、ステップ４８で線速度をＮｘより１段上げてゾーン２（第２ゾーン）の記録を再開して記録し続け、この処理を終了する。
ステップ４６の判断で推定記録パワーがリミット値を超える場合、ステップ４７で直前の記録速度である線速度Ｎｘを維持したまま停止することなくゾーン２（第２ゾーン）の記録を再開して記録し続け、この処理を終了する。
【００６８】
この第７の記録処理によれば、ゾーンの切れ目で次のゾーンの記録開始時に直前のゾーンまでの記録中の記録パワー修正による記録パワー変化を考慮して記録パワーを設定した際に最大記録パワーを超えてしまった場合、試し書きエリアで最適記録パワーを求め直すので、ゾーンの速度を上げることも可能な場合もあり、最大記録速度で記録を行える。
【００６９】
次に、この発明の情報処理装置の実施形態を説明する。
図９は、この発明の情報処理装置の一実施形態の装置概略構成を示す機能ブロック図である。
この情報処理装置は、主制御装置２１，インターフェース２２，記憶装置（ＨＤＤ）２３，入力装置２４，及び表示装置２５などを備えており、インターフェース２２を介して情報記録装置（光ディスクドライブ）２０を接続している。
主制御装置（ホストコンピュータ）２１は、マイクロコンピュータ（ＣＰＵ）、メインメモリ（いずれも公知なので図示を省略）などを含んで構成され、この情報処理装置の全体を制御する。
【００７０】
インターフェース２２は、光ディスクドライブ２０との双方向の通信インターフェースであり、ＡＴＡＰＩ及びＳＣＳＩ等の標準インターフェースに準拠している。このインターフェース２２は光ディスクドライブ２０のインターフェースと接続されている。なお、各インターフェース間の接続形態は、通信ケーブル（例えばＳＣＳＩケーブル）などの通信線を用いたケーブル接続だけでなく、赤外線などを利用したワイヤレス接続であっても良い。
記憶装置（ハードディスクドライブ：ＨＤＤ）２３には、主制御装置２１のマイクロコンピュータで解読可能なコードで記述されたプログラムが格納されている。なお、この情報処理装置の駆動電源がオン状態になると、上記プログラムは主制御装置のメインメモリにロードされる。
【００７１】
表示装置２５は、例えばＣＲＴ，液晶ディスプレイ（ＬＣＤ）及びプラズマディスプレイパネル（ＰＤＰ）などの表示部（図示省略）を備え、主制御装置２１からの各種情報を表示する。
入力装置２４は、例えばキーボード，マウス及びポインティングデバイスなどのうち少なくとも１つの入力媒体（図示省略）を備え、ユーザから入力された各種情報を主制御装置２１に通知する。
なお、入力装置２４からの情報はワイヤレス方式で入力されても良い。また、表示装置２５と入力装置２４とが一体化したものとして、例えばタッチパネル付きＣＲＴなどがある。
また、この情報処理装置はオペレーティングシステム（以下「ＯＳ」という）を搭載している。そして、情報処理装置を構成する全てのデバイスはＯＳによって管理されている。
【００７２】
図１０は、図９に示した情報記録装置（光ディスクドライブ）の要部構成の一例を示す機能ブロック図である。
この光ディスクドライブは、スピンドルモータ２，光ピックアップ３，レーザコントローラ４，ＣＤエンコーダ５，ＣＤ−ＲＯＭエンコーダ６，ＡＴＩＰデコーダ７，バッファＲＡＭ８，バッファマネージャ９，リードアンプ１０，ＣＤデコーダ１１，ＣＤ−ＲＯＭデコーダ１２，ＡＴＡＰＩ／ＳＣＳＩ・インターフェース（Ｉ／Ｆ）１３，モータドライバ１４，サーボ部１５，Ｄ／Ａコンバータ１６，ＲＯＭ１７，ＣＰＵ１８，ＲＡＭ１９等からなる。この図１０において、矢印はデータが主に流れる方向を示しており、また、図を簡略化するために、図１０の各ブロックを制御するＣＰＵ１８には、太線のみを付けて各ブロックとの接続を省略している。
【００７３】
ＲＯＭ１７には、ＣＰＵ１８にて解読可能なコードで記述された制御プログラムが格納されている。
なお、光ディスクドライブの電源がオン状態になると、上記プログラムは図示を省略した公知のメインメモリにロードされ、ＣＰＵ１８はそのプログラムに従って上記各部の動作を制御するとともに、その制御に必要なデータ等を一時的にＲＡＭ１９に保存する。
光ディスク１は、例えば、１回だけ書き込みが可能なＣＤ−Ｒ（ＣＤレコーダブル）ディスク（なお、ＣＤ−Ｗｒｉｔｅ　Ｏｎｃｅともいわれている）や、複数回の書き込みが可能なＣＤ−Ｅ（ＣＤイレーザブル）ディスク（なお、ＣＤ−ＲＷ：ＣＤリライタブルともいわれている）がある。また、ＭＯディスク，ＣＤ＋Ｒ／ＲＷディスク，ＤＶＤ−ＲＡＭ，ＤＶＤ−Ｒ／ＲＷディスク，ＤＶＤ＋Ｒ／ＲＷディスク等のディスク状記録媒体もある。
【００７４】
スピンドルモータ２は、光ディスク１を回転駆動する。このスピンドルモータ２は、モータドライバ１４とサーボ部１５により、線速度が一定になるように制御される。この線速度は、階段的に変更することが可能である。
光ピックアップ３は、図示を省略した公知の半導体レーザ，光学系，フォーカスアクチュエータ，トラックアクチュエータ，受光素子及びポジションセンサを内蔵しており、レーザ光ＬＢを光ディスク１に照射する。
また、この光ピックアップ３は、シークモータによってスレッジ方向への移動が可能である。これらのフォーカスアクチュエータ，トラックアクチュエータ，シークモータは、受光素子とポジションセンサから得られる信号に基づいてモータドライバ１４とサーボ部１５により、レーザ光ＬＢのスポットが光ディスク１上の目的の場所に位置するように制御される。
【００７５】
そして、リード時には、光ピックアップ３によって得られた再生信号が、リードアンプ１０で増幅されて２値化された後、ＣＤデコーダ１１に入力される。入力された２値化データは、このＣＤデコーダ１１において、ＥＦＭ（Ｅｉｇｈｔ
ｔｏ　Ｆｏｕｒｔｅｅｎ　Ｍｏｄｕｌａｔｉｏｎ）復調される。
なお、記録データは、８ビットずつまとめられてＥＦＭ変調されており、このＥＦＭ変調では、８ビットを１４ビットに変換し、結合ビットを３ビット付加して合計１７ビットにする。
この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００７６】
復調されたデータは、デインターリーブとエラー訂正の処理が行われる。その後、このデータは、ＣＤ−ＲＯＭデコーダ１２へ入力され、データの信頼性を高めるために、さらに、エラー訂正の処理が行われる。
このように、２回のエラー訂正の処理が行われたデータは、バッファマネージャ９によって一旦バッファＲＡＭ８に蓄えられ、セクタデータとして揃った状態で、ＡＴＡＰＩ／ＳＣＳＩ・Ｉ／Ｆ１３を介して、情報処理装置の主制御装置（ホストコンピュータ）へ一気に転送される。
なお、音楽データの場合には、ＣＤデコーダ１１から出力されたデータが、Ｄ／Ａコンバータ１６へ入力され、アナログのオーディオ出力信号Ａｕｄｉｏとして取り出される。
【００７７】
また、ライト時には、ＡＴＡＰＩ／ＳＣＳＩ・Ｉ／Ｆ１３を通して、ホストコンピュータから送られてきたデータは、バッファマネージャ９によって一旦バッファＲＡＭ８に蓄えられる。
そして、バッファＲＡＭ８内にある程度の量のデータが蓄積された状態で、ライト動作が開始されるが、この場合には、その前にレーザスポットを書き込み開始地点に位置させる必要がある。この地点は、トラックの蛇行により予め光ディスク１上に刻まれているウォブル信号によって求められる。
ウォブル信号には、ＡＴＩＰと呼ばれる絶対時間情報が含まれており、この情報が、ＡＴＩＰデコーダ７によって取り出される。
また、このＡＴＩＰデコーダ７によって生成される同期信号は、ＣＤエンコーダ５へ入力され、光ディスク１上の正確な位置へのデータの書き込みを可能にしている。
【００７８】
バッファＲＡＭ８のデータは、ＣＤ−ＲＯＭエンコーダ６やＣＤエンコーダ５において、エラー訂正コードの付加やインターリーブが行われ、レーザコントローラ４，光ピックアップ３を介して光ディスク１に記録される。
なお、ＥＦＭ変調されたデータは、ビットストリームとしてチャンネルビットレート４．３２１８Ｍｂｐｓ（標準速）でレーザを駆動する。この場合の記録データは、５８８チャンネルビット単位でＥＦＭフレームを構成する。チャンネルクロックとは、このチャンネルビットの周波数のクロックを意味する。
【００７９】
そして、この光ディスクドライブ２０のＣＰＵ１８が、上述した第１〜第７の処理を実行する機能部に相当する。その処理の内容は上述したので説明を省略する。このようにして、ピーソナルコンピュータに光ディスクドライブを接続又は内蔵した情報処理装置においても、ランニングＯＰＣによるパワー修正の影響でレーザ光源の最大出力を超えてしまう不具合の発生を防止し、レーザ光源を劣化させることなく、最速な記録速度且つ最適な記録パワーで情報の記録を行って高記録品質を実現することができる。
【００８０】
【発明の効果】
以上説明してきたように、この発明の情報記録装置と情報記録方法によれば、ランニングＯＰＣによるパワー修正の影響でレーザ光源の最大出力を超えてしまう不具合の発生を防止し、ＣＡＶ記録やＺＣＬＶ記録の場合でもレーザ光源を劣化させることなく、最速な記録速度、且つ最適な記録パワーで情報の記録を行って高記録品質を実現することができる。また、この発明のプログラムとコンピュータ読み取り可能な記録媒体とによれば、コンピュータにこの発明に係る記録機能を容易に実現させることができる。さらに、この発明の情報処理装置によれば、ＭＯドライブ，ＣＤ−Ｒ／ＲＷドライブ，ＣＤ＋Ｒ／ＲＷドライブ，ＤＶＤ−Ｒ／ＲＷドライブ，ＤＶＤ＋Ｒ／ＲＷドライブ等を備えたパーソナルコンピュータ等でこの発明に係る記録機能を容易に実現することができる。
【図面の簡単な説明】
【図１】この発明の一実施形態である光ディスク装置の構成を示すブロック図である。
【図２】図１に示す記録状態検出部１０８の動作説明に供する波形図である。
【図３】ＺＣＬＶ方式によるゾーン区分けの一例を示す説明図である。
【図４】図１に示す光ディスク装置における第１の記録処理を示すフローチャート図である。
【図５】図１に示す光ディスク装置における第２の記録処理を示すフローチャート図である。
【図６】図１に示す光ディスク装置における第３の記録処理を示すフローチャート図である。
【図７】図１に示す光ディスク装置における第６の記録処理を示すフローチャート図である。
【図８】図１に示す光ディスク装置における第７の記録処理を示すフローチャート図である。
【図９】この発明の情報処理装置の一実施形態の装置概略構成を示す機能ブロック図である。
【図１０】図９に示す情報記録装置の要部構成の一例を示す機能ブロック図である。
【符号の説明】
１，１００：光ディスク　２：スピンドルモータ
３：光ピックアップ　　　４：レーザコントローラ
５：ＣＤエンコーダ　　　６：ＣＤ−ＲＯＭエンコーダ
７：ＡＴＩＰデコーダ　　８：バッファＲＡＭ
９：バッファマネージャ　１０：リードアンプ
１１：ＣＤデコーダ　　　１２：ＣＤ−ＲＯＭデコーダ
１３：ＡＴＡＰＩ／ＳＣＳＩ・Ｉ／Ｆ
１４：モータドライバ　　１５：サーボ部
１６：Ｄ／Ａコンバータ　１７：ＲＯＭ
１８，１０１：ＣＰＵ　　１９：ＲＡＭ
２０：情報記録装置　　　２１：主制御装置
２２：インターフェース　２３：記憶装置
２４：入力装置　　　　　２５：表示装置
１０２：回転モータ　　　１０３：ヘッド
１０４：ＬＤドライバ　　１０５：試し書き部
１０６：初期値設定部　　１０７：パワー修正部
１０８：記録状態検出部　１０９：パワー算出部
１１０：パワーリミット検出部
１１１：ＺＣＬＶ制御部　ＬＢ：レーザ光
【図１】
2004054980.tif 000003
【図２】
2004054980.tif 000004
【図３】
2004054980.tif 000005
【図４】
2004054980.tif 000006
【図５】
2004054980.tif 000007
【図６】
2004054980.tif 000008
【図７】
2004054980.tif 000009
【図８】
2004054980.tif 000010
【図９】
2004054980.tif 000011
【図１０】
2004054980.tif 000012